(57)【要約】【課題】この発明の目的は、ハイカーブレンズを使用した場合でもリム溝からレンズが離脱することのない眼鏡のやげん形状を提供することにある。【解決手段】リムに設けたリム溝を後面側の傾斜面と、この傾斜面の頂部に連続する平坦面と、この平坦面とほぼ直交する起立面とで形成するとともに、リムの前面と起立面との間に弾性変形可能な起立部を形成し、リム溝内に頂部と前後傾斜面とからなるやげんを有するレンズを嵌め込んだ時に、前記起立部によってレンズの後面傾斜面がリム溝の傾斜面に押圧されるとともに、前面側に離脱する力が作用した時に前記起立部によって後面側に押圧されるようにした。【選択図】        図２
2005031281.tif 000002
【特許請求の範囲】
【請求項１】
リムに設けたリム溝内にレンズを嵌め込んで保持するようにした眼鏡のやげん形状であって、前記リム溝内に位置したレンズを離脱するような力が作用した時に、前記リム溝を形成するリムの一部が前記力に抗する方向に作用することを特徴とする眼鏡のやげん形状。
【請求項２】
前記リム溝は傾斜面と起立部とを有し、この傾斜面はレンズの後面側の傾斜面と面接触するとともに、前記起立部は前記レンズの前面側の傾斜面と点接触する請求項１記載の眼鏡のやげん形状。
【請求項３】
前記リム溝は、後面側の傾斜面と、この傾斜面の頂部に連続する平坦面と、この平坦面に連続する起立面とを有し、さらに前記起立面とリムの前面との間で弾性変形可能な起立部を形成した請求項２記載の眼鏡のやげん形状。
【請求項４】
前記リム溝は後面側の傾斜面と、この傾斜面の頂部に連続する平坦面と、この平坦面に連続する起立面とを有し、さらに前記起立面とリムの前面との間で弾性変形可能な起立部を形成し、前記レンズが離脱するような力が作用した時に前記傾斜面の頂部と反対側の角部と、前記起立面の平坦面と反対側の角部とでレンズの両傾斜面を押圧する請求項３記載の眼鏡のやげん形状。
【請求項５】
前記平坦面と前記起立面とはほぼ直交している請求項３、４記載の眼鏡のやげん形状。
【請求項６】
リムに設けたリム溝内にレンズを嵌め込んで保持するようにした眼鏡のやげん形状であって、前記リム溝は後面側の傾斜面と、この傾斜面の頂部に連続する平坦面と、この平坦面に連続する起立面とを有し、さらに前記起立面とリムの前面との間で弾性変形可能な起立部を形成し、前記後面側の傾斜面はレンズの後面側の傾斜面と面接触するとともに、前記起立部は前記レンズの前面側の傾斜面と点接触することを特徴とする眼鏡のやげん形状。
【発明の詳細な説明】
【０００１】
【発明の属する技術分野】
この発明は眼鏡のやげん形状に関し、特に、レンズカーブがハイカーブの時にもリム溝から容易に離脱する恐れのない眼鏡のやげん形状に関するものである。
【０００２】
【従来技術およびその問題点】
一般に、眼鏡のやげん形状は特開平５−１９２１１号に示すようなものが知られている。
【０００３】
【特許文献１】
特開平５−１９２１１号公報
【０００４】
この特許文献１に示すものは、金属製のリム溝内にレンズを嵌め込んだ場合や、樹脂製のリム溝内にレンズを嵌め込んだ場合について記載されている。
一般的にはリム溝のやげん角度とレンズのやげん角度とがほぼ一致し、しかも、やげん深度もほぼ一致しているために、リム溝からレンズが離脱する恐れがあった。この欠点を防止するために、リム溝のやげん角度よりもレンズのやげん角度を大きくするとともに、リム溝のやげん深度をレンズのやげん深度よりも大きくするように構成されている。
【０００５】
このためにリム溝内にレンズを取付ける時にはやげん角度とやげん深度との関係によりリム溝を押し開いた状態で、リム溝内にレンズが嵌め込まれるようになり、これによりリム溝からのレンズの離脱を防止するようになっている。
【０００６】
しかしながら、現在、流行しているハイカーブレンズ（特に幅方向に対して細長い形状のレンズ形状）を使用するリム枠においては、上記のように構成したとしてもレンズによってリムには局部的に大きな力が作用してしまうのでレンズが容易に外れてしまっていた。このために、レンズの前周縁および後周縁をリム溝に合致させて保持する、所謂フルリムタイプの枠には不向きとされていた。
この発明は、前記のような従来のもののもつ問題点を解決したものであって、ハイカーブレンズをリム溝に嵌め込んだ場合であっても、リム溝内からレンズが容易に離脱することがない眼鏡のやげん形状を提供することを目的とする。
【０００７】
【問題点を解決するための手段】
上記の問題点を解決するためにこの発明は、リムに設けたリム溝内にレンズを嵌め込んで保持するようにした眼鏡のやげん形状であって、前記リム溝内に位置したレンズを離脱するような力が作用した時に、前記リム溝を形成するリムの一部が前記力に抗する方向に作用する手段を採用した。そして、前記リム溝は傾斜面と起立部とを有し、この傾斜面はレンズの後面側の傾斜面と面接触するとともに、前記起立部は前記レンズの前面側の傾斜面と点接触させた。また、前記リム溝は、後面側の傾斜面と、この傾斜面の頂部に連続する平坦面と、この平坦面に連続する起立面とを有し、さらに前記起立面とリムの前面との間で弾性変形可能な起立部を形成した。さらに、前記リム溝は後面側の傾斜面と、この傾斜面の頂部に連続する平坦面と、この平坦面に連続する起立面とを有し、さらに前記起立面とリムの前面との間で弾性変形可能な起立部を形成し、前記レンズが離脱するような力が作用した時に前記傾斜面の頂部と反対側の角部と、前記起立面の平坦面と反対側の角部とでレンズの両傾斜面を押圧するように構成した。また、前記平坦面と前記起立面とはほぼ直交している。
また、この発明は、リムに設けたリム溝内にレンズを嵌め込んで保持するようにした眼鏡のやげん形状であって、前記リム溝は後面側の傾斜面と、この傾斜面の頂部に連続する平坦面と、この平坦面に連続する起立面とを有し、さらに前記起立面とリムの前面との間で弾性変形可能な起立部を形成し、前記後面側の傾斜面はレンズの後面側の傾斜面と面接触するとともに、前記起立部は前記レンズの前面側の傾斜面と点接触する構成を採用したものである。
【０００８】
【作用】
この発明は前記の構成を有しているので、フルリムタイプの枠の溝にハイカーブレンズの周縁部を嵌め込んだ場合であっても、枠からレンズが外れるような力が作用した場合には、枠に設けた溝の傾斜面にレンズの一方のやげんの傾斜面が押圧して面接触したり、あるいは、やげんの他方の傾斜面を溝の起立部が押圧するように作用したりするので、枠の溝内、すなわち枠からレンズが離脱する恐れがまったく無いことになる。
【０００９】
【発明の実施の形態】
以下、この発明の実施の形態について説明する。図１にはリムがこの発明による眼鏡のやげん形状となっている眼鏡枠の片側の概略正面図が、図２にはリム溝にレンズを嵌め込んだ状態の概略図が、そして、図３にはリム溝に嵌め込んだレンズがずれた状態の概略図がそれぞれ示されている。また、図４、図５は従来の一般的なやげん形状のリム溝およびレンズを示し、図４はリム溝にレンズを嵌め込んだ状態の概略図、図５はリム溝に嵌め込んだレンズがずれた状態の概略図がそれぞれ示されている。
【００１０】
この発明によるリム１は従来の一般的なものと同様に樹脂、チタン合金等で形成されていて所定の弾性を有している。また、金属製のものにあっては一般的な金属製のものと同様にリム１の片面に切れ目２を入れて逃げ場所を作っておいてリム溝を広げ易くしている。
このような切れ目２はリムのどこに設けても良いが、目立たないようにするにはブリッジ部分やブローチ部分の裏面に設けると良い。
【００１１】
また、リム溝３のやげん形状は、一般的なやげん形状を形成した後に、リム１の前面１ａ側の傾斜面を、その頂部４ｂから前面１ａ側に彫り込んで平坦面４ｃを形成するとともに、リム１の前面から僅かに内方の部位から前記平坦部４ｃと直交するように彫り込んで起立面４ｄを形成し、起立面４ｄと前面１ａとで起立部４ｅを形成してある。
【００１２】
このリム溝３に関しては図４および図５に従来の一般的なリム溝１３およびレンズ１５のやげん形状を示すが、リム溝１３はリム１１の前面１１ａと後面１１ｆとのほぼ中央部で頂部１４ｂを形成し、前面１１ａ方向および後面１１ｆ方向にそれぞれ傾斜面１４ａ、１４ａを形成する。
一方、レンズ１５においても中央部で頂部１５ｂを形成するとともに、この頂部１５ｂから前面１５ｃおよび後面１５ｄにかけてそれぞれ傾斜面１５ａ、１５ａを形成してある。
【００１３】
そして、リム溝１３にレンズ１５を嵌め込んだ時はリム溝１３の両傾斜面１４ａ、１４ａがレンズ１５の両傾斜面１５ａ、１５ａと合致した状態で保持されている。したがって、所謂、ハイカーブレンズを使用するリム枠においては、上記のように構成するとレンズ１５によってリム溝１３には局部的に大きな力が作用してしまうのでレンズ１５が容易に外れてしまっていた。
【００１４】
しかしながら、図２および図３に示すように形成したリム溝３のやげん形状は、後面１ｆ側は傾斜面４ａであるとともに、前面１ａ側は平坦面４ｃと起立面４ｄとで形成し、しかも起立部４ｅは弾性変形可能に形成されている。
【００１５】
上記のように形成した眼鏡のリム１のリム溝３内に従来と同様にやげん形状のレンズ５を嵌め込んだ場合には、図２に示す状態でリム溝３内にレンズ５が保持されている。
この状態でレンズ５の中央部を中心として縁部に前面５ｃ方向への力が作用したときには、この力は円弧状に作用する。したがって、リム溝３の傾斜面４ａの端部を支点としてレンズ５の後面５ｄ側の傾斜面５ａがずれることになる。
【００１６】
このため、レンズ５のやげんの頂部５ｂはリム溝３の平坦面４ｃを移動し、このために、レンズ５の前面５ｃ側の傾斜面５ａは起立面４ｄに対して当初よりも大きな押圧力で当接することになるのでリム溝３からレンズ５が外れる恐れは無くなる。
また、金属製のリムに対してガラスやプラスチックのレンズが大きく押圧することになるが、この押圧は前記起立部４ｅが弾性変形することでレンズ５の破損は防止できる。
【００１７】
したがって、レンズとしてハイカーブレンズを使用し、このハイカーブレンズを保持する形状の眼鏡枠であっても、リムの溝のやげん形状を上記のように構成することで、リム溝内にレンズの全周縁部を確実に嵌め込んで支持することができる。
このことは、たとえ、レンズに一時的に大きな力が作用してリム溝内でレンズがずれたとしても、起立部の弾性変形の作用によってレンズは当初の状態に復帰して常に初期の状態を保持することができるものである。
【００１８】
なお、前記実施例においては、リム溝の前面側を平坦面と起立面とで形成し、この起立面とリムの前周面との間で起立部を形成したものを示し、平坦面と起立面との間をほぼ直角に形成したが直角でなくても良く、また、平坦面でなくても良く、要は、リム溝におけるレンズの嵌め込み状態がずれた時はレンズのやげん形状の前側傾斜面が起立部を大きな傾斜角度で押圧してこの起立部が弾性変形するように構成すれば良いものである。
【００１９】
【発明の効果】
この発明は前記のように構成したことにより、レンズのやげん形状を加工することなく、リム溝のやげん形状のうちの前面側傾斜面を加工して、レンズのやげんの頂部が変位するのを許容する平坦面と、この平坦面に連続する起立面とを形成し、さらに、起立面とリムの前面との間に弾性変形可能な起立部を形成した。これにより、リム溝の内部にレンズが嵌め込まれた時はリム溝の後面側の傾斜面とレンズの後面側の傾斜面とが面接触し、しかも前面側の傾斜面と点接触する起立部で前記面接触が強められた状態で保持されているので、リム溝内にレンズが確実に保持されることになる。
そして、レンズを後面側に押圧する力が作用した場合には上記のことがより一層確実になる。
また、上記とは逆方向、すなわち、レンズを前面側に押圧する力が作用した場合にはリム溝の後面側の傾斜面とレンズの後面側の傾斜面との面接触がはずれるとともに、頂部が移動して前面側の傾斜面が起立部を押圧して前方に弾性変形させることになる。このために、レンズはリム溝の内部に確実に位置するとともに、作用力が無くなった場合には起立部によって当初の状態に復帰されて保持されることなる。したがって、ハイカーブレンズであってもリム溝から離脱する恐れがまったく無く、確実にリム溝の内部に保持されるようになるという効果を有している。
【図面の簡単な説明】
【図１】この発明による眼鏡のやげん形状を示す概略平面図である。
【図２】この発明によるリム溝とレンズとの嵌め込み状態を示す概略説明図である。
【図３】図２に示すもののレンズが前方にずれた状態を示す概略説明図である。
【図４】従来のリム溝とレンズとの嵌め込み状態を示す概略説明図である。
【図５】図４に示すもののレンズが前方にずれた状態を示す概略説明図である。
【符号の説明】
１、１１……リム
１ａ、５ｃ、１１ａ、１５ｃ……前面
１ｆ、５ｄ、１１ｆ、１５ｄ……後面
２……切れ目
３、１３……リム溝
４ａ、５ａ、１４ａ、１５ａ……傾斜面
４ｂ、５ｂ、１４ｂ、１５ｂ……頂部
４ｃ……平坦面
４ｄ……起立面
４ｅ……起立部
５、１５……レンズ
【図１】
2005031281.tif 000003
【図２】
2005031281.tif 000004
【図３】
2005031281.tif 000005
【図４】
2005031281.tif 000006
【図５】
2005031281.tif 000007